(57)【特許請求の範囲】
【請求項１】
防護区画に設置された火災感知器を感知器回線に接続して前記防護区画の火災を監視する火災報知設備と、
前記防護区画に配置されたスプリンクラーヘッドと、
前記スプリンクラーヘッドへの消火用水の供給を制御する制御弁と、
前記火災報知設備からの火災信号又は障害信号により前記制御弁を制御して消火用水の供給を制御するスプリンクラー制御盤と、
を備えたスプリンクラー消火設備に於いて、
点検対象とする防護区画の外に設けた点検モード設定スイッチと、
前記スプリンクラー制御盤に引き込んだ前記感知器回線を断線状態として擬似的な障害信号を発生する擬似障害発生スイッチと、
点検モード設定スイッチが操作された際に、前記擬似障害発生スイッチを作動して前記制御弁を開制御する点検制御部と、
を設けたことを特徴とするスプリンクラー消火設備。
【請求項２】
防護区画に設置された火災感知器を感知器回線に接続して前記防護区画の火災を監視する火災報知設備と、
前記防護区画に配置された閉鎖型のスプリンクラーヘッドと、
前記スプリンクラーヘッドへの消火用水の供給と停止を制御する制御弁と、
前記スプリンクラーヘッドの作動による消火用水の流水を検知する流水検知装置と、
定常監視状態においては、前記制御弁を開状態として前記スプリンクラーヘッドに消火用水を供給し、前記流水検知装置により流水が検知された際に、前記火災報知設備からの火災信号又は障害信号があれば前記制御弁の開状態を維持し、火災信号又は障害信号がなければ前記制御弁を閉状態として消火用水の供給を停止するスプリンクラー制御盤と、
を備えたスプリンクラー消火設備に於いて、
点検対象とする防護区画の外に設けられた点検モード設定スイッチと、
前記スプリンクラー制御盤に設けられ、前記火災報知設備から火災信号又は障害信号を受信する受信回路に擬似的な火災信号又は障害信号の受信状態を作り出す擬似火災障害発生リレーと、
点検操作に伴う前記流水検知装置の流水検知により前記制御弁を閉制御した状態で、前記点検モード設定スイッチの操作による信号を検出した際に、前記擬似火災障害発生リレーを作動して前記制御弁を開制御させる点検制御部と、
を設けたことを特徴とするスプリンクラー消火設備。
【請求項３】
防護区画に設置された火災感知器を感知器回線に接続して前記防護区画の火災を監視する火災報知設備と、
前記防護区画に配置された閉鎖型のスプリンクラーヘッドと、
前記スプリンクラーヘッドへの消火用水の供給と停止を制御する制御弁と、
前記スプリンクラーヘッドの作動による消火用水の流水を検知する流水検知装置と、
定常監視状態においては、前記制御弁を開状態として前記スプリンクラーヘッドに消火用水を供給し、前記流水検知装置により流水が検知された際に、前記火災報知設備からの火災信号又は障害信号があれば前記制御弁の開状態を維持し、火災信号又は障害信号がなければ前記制御弁を閉状態として消火用水の供給を停止するスプリンクラー制御盤と、
を備えたスプリンクラー消火設備に於いて、
点検対象とする防護区画の外に設けられた点検モード設定スイッチと、
前記スプリンクラー制御盤に設けられ、前記流水検知装置から流水検知信号を受信する受信回路に擬似的な流水検知信号の受信状態を作り出す擬似流水検知リレーと、
前記点検モード設定スイッチの操作による信号を検出して点検モードを設定した際に、前記擬似流水検知リレーを作動して前記制御弁を閉制御し、前記制御弁の全閉信号を受信した後に擬似的な火災信号又は障害信号を発生させて前記制御弁を開制御し、前記制御弁の全開信号を受信して終了する一連の点検制御を行う点検制御部と、
を設けたことを特徴とするスプリンクラー消火設備。
【発明の詳細な説明】
【０００１】
【発明の属する技術分野】
本発明は、火災発生時にスプリンクラーヘッドから消火用水を放水するスプリンクラー消火設備に関し、特に集合住宅の各住戸を一つの防護区画として放水を制御するスプリンクラー消火設備に関する。
【０００２】
【従来の技術】
従来、この種のスプリンクラー消火設備としては特開平１０−５３６５号のものがある。
【０００３】
このスプリンクラー消火設備は、スプリンクラーヘッドの誤作動時の水損を抑えるため、消火配管に通常時開いている制御弁と流水検知装置を設け、スプリンクラー制御盤は、スプリンクラーヘッドが作動して流水検知装置からの流水検知信号を受信した時、火災感知器からの火災信号を受信していなければ制御弁を閉制御して放水を停止し、火災感知器から火災信号を受信したら制御弁を開制御して放水を行う。
【０００４】
またスプリンクラー制御盤は火災受信機からの障害信号を監視しており、障害信号が出力されている場合は、制御弁は開状態に維持して放水を継続させる。したがって、火災が発生しているにも関わらず、感知器回線の断線により火災信号が出力されない場合に不用意に放水が停止されることが防止できる。
【０００５】
このようなスプリンクラー消火設備においては、制御弁の開閉制御の機能を確認するための点検を必要とする。この点検は、スプリンクラーヘッドを接続した配管の末端に設置している末端試験弁を開操作する。末端試験弁を開操作すると、流水検知装置が流水を検知し、スプリンクラー制御盤は、流水検知に基づき、このとき火災信号がないことから、制御弁を閉制御する。次に制御弁を開制御させるために火災受信盤側から火災信号もしくは障害信号をスプリンクラー制御盤に出力させ、これによって制御弁を開制御させて正常に動作するか機能点検を行う。
【０００６】
【発明が解決しようとする課題】
しかしながら、このような従来の機能点検においては、末端試験弁は各住戸の外に設けられているので操作が容易に行えるが、火災信号や障害信号を火災受信盤側から出力させるためには住戸内に入り、火災感知器や火災受信盤などを操作しなければならず、プライバシーの問題や住人が留守の場合には点検が行いづらい。
【０００７】
本発明は、住戸に入ることなく各防護区域毎に制御弁の機能点検が簡単にできるスプリンクラー消火設備を提供することを目的とする。
【０００８】
【課題を解決するための手段】
この目的を達成するため本発明は次のように構成する。まず本発明のスプリンクラー消火設備は、防護区画に設置された火災感知器を感知器回線に接続して防護区画の火災を監視する火災報知設備と、防護区画に配置されたスプリンクラーヘッドと、スプリンクラーヘッドへの消火用水の供給を制御する制御弁と、火災報知設備からの火災信号又は障害信号により前記制御弁を制御して消火用水の供給を制御するスプリンクラー制御盤とを備える。
【０００９】
このようなスプリンクラー消火設備に対し本発明は、点検対象とする防護区画の外に設けた点検モード設定スイッチと、スプリンクラー制御盤に引き込んだ感知器回線を断線状態として擬似的な障害信号を発生する擬似障害発生スイッチと、点検モード設定スイッチが操作された際に、擬似障害発生スイッチを作動して前記制御弁を制御する点検制御部とを設けたことを特徴とする。
【００１０】
また、本発明のスプリンクラー消火設備は、防護区画に設置された火災感知器を感知器回線に接続して防護区画の火災を監視する火災報知設備と、防護区画に配置された閉鎖型のスプリンクラーヘッドと、スプリンクラーヘッドへの消火用水の供給と停止を制御する制御弁と、スプリンクラーヘッドの作動による消火用水の流水を検知する流水検知装置と、定常監視状態においては、制御弁を開状態としてスプリンクラーヘッドに消火用水を供給し、流水検知装置により流水が検知された際に、火災報知設備からの火災信号又は障害信号があれば制御弁の開状態を維持し、火災信号又は障害信号がなければ制御弁を閉状態として消火用水の供給を停止するスプリンクラー制御盤とを備える。
【００１１】
このようなスプリンクラー消火設備に対し本発明は、防護区画外に設けられた点検モード設定スイッチと、点検操作に伴う流水検知装置の流水検知により制御弁を閉制御した状態で、点検モード設定スイッチの操作による信号を検出した際に、擬似的な火災信号又は障害信号を発生させて制御弁を開制御させる点検制御部とを設けたことを特徴とする。
【００１２】
このため点検時の流水検知信号の発生で制御弁が閉制御されることを確認したならば、点検モード設定スイッチを操作すると、擬似的な火災信号又は障害信号が火災受信盤から出されて制御弁の閉制御が行われ、防護区画内に入って火災感知器や火災受信機を操作することなく、防護区画外の操作で制御弁の機能点検ができ、特に集合住宅においてはプライバシーの問題がなく、また住人が留守であっても容易に点検することができる。
【００１３】
また本発明の別の形態にあっては、同じスプリンクラー消火設備を対象とし、防護区画外に設けられた点検モード設定スイッチと、点検モード設定スイッチの操作による信号を検出して点検モードを設定した際に、点検操作に伴う流水検知装置の流水検知により制御弁を閉制御し、その後に擬似的な火災信号又は障害信号を発生させて制御弁を開制御させる一連の点検制御を行う点検制御部とを設けたことを特徴とする。
【００１４】
この形態にあっては、点検モード設定スイッチを操作すると、自動的に制御弁を閉制御した後に開制御する一連の点検動作が自動的に行われ、点検がより簡単になる。
【００１５】
ここでスプリンクラー制御盤は、感知器回線を断線状態として火災報知設備からスプリンクラー制御盤に障害信号を出力させる。このため擬似的に障害信号を発生する回路等を追加することなく、簡単に住戸外からの点検ができる。
【００１６】
またスプリンクラー制御盤は、火災受信盤から火災信号又は障害信号を受信する受信回路に、擬似的な火災信号又は障害信号の受信状態を作り出す擬似火災障害発生リレーを設け、点検制御部は、擬似火災障害発生リレーを作動して火災受信盤からの擬似的な火災信号又は障害信号を入力させるようにしてもよい。
【００１７】
またスプリンクラー制御盤は、流水検知装置から流水検知信号を受信する受信回路に、擬似的な流水検知信号の受信状態を作り出す擬似流水検知リレーを設け、点検制御部は、擬似流水検知リレーを作動して制御弁を開制御するようにしてもよい。この場合には、流水検知装置を作動させるために末端試験弁を操作する必要がないので、点検作業が更に容易となる。
【００１８】
更に、本発明のスプリンクラー制御設備は、前記火災報知設備は集合住宅の各住戸毎に火災感知器と火災感知器を監視する火災受信盤を設け、点検モード設定スイッチ及び点検制御部を、各住戸の火災受信盤を集中監視する住棟受信盤に設け、住棟受信盤から任意のスプリンクラー制御盤を指定して点検制御するようにしてもよい。このため住戸に出向かなくとも、制御弁の機能点検が住棟受信盤で一括してできる。
【００１９】
【発明の実施の形態】
図１は本発明によるスプリンクラー消火設備の設備構成の説明図である。
【００２０】
図１において、本発明のスプリンクラー消火設備は、集合住宅に設置した例であり、住戸を１つの防護区画として火災監視を行うため、住戸内には住戸用受信機として機能する火災受信盤１を設け、火災受信盤１から中継器２を介して引き出された感知器回線３に火災感知器４を接続している。
【００２１】
また住戸を１つの防護区画として消火を行うため、住戸内にはスプリンクラーヘッド６が設置されている。スプリンクラーヘッド６は閉鎖型であり、火災による熱を受けた際に内部の金属を溶融させること等によって自動的に開口して消火用水を放水する。
【００２２】
スプリンクラーヘッド６は分岐管７を介して給水本管８に接続されており、給水本管８及び分岐管７を介してスプリンクラーヘッド６に消火用水が供給される。給水本管８の一端は建物の地下室等に引き込まれ、消火ポンプ９を介して貯水槽１０に連結されている。
【００２３】
また給水本管８には圧力タンク１１が分岐接続され、圧力タンク１１によって給水本管８を加圧することにより管内圧力を規定値に保持している。圧力タンク１１には圧力スイッチ１２が設けられ、スプリンクラーヘッド６が作動して給水本管８の管内圧力が所定値以下に低下したことが圧力スイッチ１２で検出されると、ポンプ制御盤１３によりモータ１４を駆動して消火ポンプ９を運転し、貯水槽１０の消火用水を給水本管８に継続して供給する。
【００２４】
消火ポンプ９が運転されている際には、ポンプ運転信号がポンプ制御盤１３から住棟受信盤１５に出力される。また給水本管８の他端は建屋屋上等の高所に設置した高架水槽１９に引き込まれ、高架水槽１９からの消火用水で給水本管８に消火用水を常時充満させている。
【００２５】
給水本管８から分岐される分岐管７には流水検知装置１６と制御弁１８が設けられる。制御弁１８は、分岐管７の開閉を行うことによりスプリンクラーヘッド６に対する消火用水の供給と停止を制御し、スプリンクラー制御盤５の制御によって駆動される電動弁で構成されている。
【００２６】
この制御弁１８は、定常監視状態においては常に開放状態に維持されている。このため定常監視状態においては消火用水は制御弁１８を介してスプリンクラーヘッド６に供給されており、湿式スプリンクラー設備と同じ加圧消火用水の供給状態となっている。更に制御弁１８には開閉を検出するスイッチが設けられており、制御弁１８の全開と全閉を示す開閉検出信号Ｅｖをスプリンクラー制御盤５に出力する。
【００２７】
制御弁１８にはバイパス弁１８ａが並列に接続されており、制御弁１８が制御不能となった場合にはバイパス弁１８ａの手動操作による開閉で消火用水の供給と停止ができる。バイパス弁１８ａは定常監視状態では閉じられている。
【００２８】
制御弁１８の二次側には圧力スイッチ２０が設けられ、スプリンクラーヘッド６側の分岐管７の圧力が規定圧力以上のときオンとなる圧力検知信号Ｅｐをスプリンクラー制御盤５に出力する。
【００２９】
流水検知装置１６は、スプリンクラーヘッド６が火災による熱を受けて作動したときの消火用水の放水によって発生する流水で弁を開いてオンし、流水検知装置１６からオンとなった流水検知信号Ｅａをスプリンクラー制御盤５に出力する。
【００３０】
分岐管７の末端側には、末端試験弁３８、オリフィス３９及び圧力計４０が設けられている。末端試験弁３８を手動で開くことにより、オリフィス３９で決定される量の消火用水を分岐管７に流し、流水検知装置１６を疑似的に作動させて消火ポンプ９の試験運転を行ったり、制御弁１８の開閉制御を確認するための点検制御を行うことができる。この末端試験弁３８はスプリンクラー制御盤５と同様、住戸外に設置されている。
【００３１】
スプリンクラー制御盤５に対しては火災受信盤１より火災信号Ｅｆと障害信号Ｅｔが移報信号として供給されている。火災受信盤１は火災感知器４で火災検出が行われたときに感知器回線３を低インピーダンスに短絡することにより流れる発報電流を受信し、火災受信盤１で火災警報を行い、図示しない戸外表示器に表示すると共に、更に住棟受信盤１５に移報して表示する。またスプリンクラー制御盤５に火災信号Ｅｆを移報する。また火災受信盤１は感知器回線３の断線を監視しており、断線を検出するとスプリンクラー制御盤５に対し障害信号Ｅｔを移報する。
【００３２】
スプリンクラー制御盤５は、流水検知装置１６からの流水検知信号Ｅａ、圧力スイッチ２０からの圧力検知信号Ｅｐ、更に火災受信盤１からの火災信号Ｅｆと障害信号Ｅｔを入力しており、これらの信号に基づいて制御弁１８の開閉制御を行う。
【００３３】
更に火災受信盤１から引き出された感知器回線３を、この実施形態にあってはスプリンクラー制御盤５内に引込んでいる。スプリンクラー制御盤５に引き込まれる感知器回線３の手前には終端抵抗２４が接続され、終端抵抗２４を流れる微小な電流により火災受信盤１は断線監視を行っている。
【００３４】
スプリンクラー制御盤５には制御回路２１が設けられ、流水検知信号Ｅａ、圧力検知信号Ｅｐ、火災信号Ｅｆ及び障害信号Ｅｔに基づいて、制御弁１８の制御を行う。制御回路２１による制御弁１８の基本的な制御機能は次のようになる。
【００３５】
定常監視状態にあっては、制御弁１８は開状態に保持されている。この状態で火災によりスプリンクラーヘッド６が作動して消火用水を放水すると、流水検知装置１６が流水を検知して流水検知信号Ｅａをオンする。このとき火災受信盤１からの火災信号Ｅｆが得られていないオフ状態であれば、スプリンクラーヘッド６が火災でないのに誤動作した可能性もあることから、水損防止のために制御回路２１は制御弁１８を閉制御し、作動したスプリンクラーヘッド６からの放水を停止する。
【００３６】
その後に火災受信盤１から火災信号Ｅｆが得られると、制御回路２１は制御弁１８を開制御し、これによって作動している作動しているスプリンクラーヘッドからの消火用水の放水が行われる。流水検知信号Ｅａが得られたときに、もし感知器回線３が断線していた場合には障害信号Ｅｔがオンしているため、この場合には制御回路２１は制御弁１８を閉制御せず、開状態を維持する。この制御回路２１による制御弁１８の制御の詳細は後の説明で更に明らかにする。
【００３７】
スプリンクラー制御盤５の制御回路２１には更に、機能検出部２２と本発明による点検制御部２３が設けられている。機能検出部２２は、スプリンクラー制御盤５に引き込まれた感知器回線３の終端に設けている疑似障害発生スイッチ２５を作動して火災受信盤１の監視機能を確認する。
【００３８】
即ち機能検出部２２は、流水検知装置１６から流水検知信号Ｅａが得られ且つ火災受信盤１から火災信号Ｅｆ及び障害信号Ｅｔが得られていないときに、疑似障害発生スイッチ２５を短時間開いて閉じるパルス的開閉を行い、このパルス的な開閉による疑似断線に対し、火災受信盤１よりパルス的な障害信号Ｅｔが得られれば火災受信盤１が正常に動作していると判断し、制御弁１８を閉制御して火災信号Ｅｆを受信するまで待機する。
【００３９】
また疑似障害発生スイッチ２５のパルス的開閉に対しパルス的な障害信号Ｅｔが受信されないときには火災受信盤１の監視機能故障と判断し、流水検知信号Ｅａが得られても制御弁１８の開状態を維持して放水を継続するようにしている。
【００４０】
ここで疑似障害発生スイッチ２５をパルス的に開閉して火災受信盤１の監視機能を確認しているときに、同時に火災感知器４が火災を検出して感知器回線３を短絡したとしても、火災感知器４の火災検出による感知器回線３の短絡が有効に機能して火災受信盤１で発報を受信でき、パルス障害信号の発生による火災受信盤のチェック時にも火災を監視できるメリットがある。
【００４１】
制御弁１８の開制御の機能点検を行うため本発明にあっては、スプリンクラー制御盤５に点検モード設定スイッチ２６を設けると共に、これに対応して制御回路２１に点検制御部２３を設けている。制御弁１８の開閉制御の機能点検は、スプリンクラー制御盤５と共に住戸外に設けている末端試験弁３８を手動で開くことで行う。
【００４２】
本発明の第１実施形態にあっては、末端試験弁３８を開いた時の流水検知装置１６からの流水検知信号Ｅａのオンにより制御弁１８を閉制御し、次に制御弁１８の開制御を点検モード設定スイッチ２６の操作で行う。即ち点検モード設定スイッチ２６を操作すると、制御回路２１の点検制御部２３が機能検出部２２を動作し、疑似障害発生スイッチ２５を開いて疑似的な断線状態を作り出す。
【００４３】
このため火災受信盤１から障害信号Ｅｔがスプリンクラー制御盤５に出力され、これによって流水検知信号Ｅａに基づいて閉制御された制御弁１８は開制御される。
【００４４】
制御弁１８の機能点検においては、制御弁１８を全閉しその後に全開する制御の確認が必要となる。この制御弁１８の制御による全閉及び全開状態の確認は、制御弁１８から出力される開閉検出信号Ｅｖをスプリンクラー制御盤５で全閉または全開表示することで確認できる。また制御弁１８自体に設けている弁の全開と全閉を示す表示を使用して確認することもできる。
【００４５】
図２は、図１の制御弁１８の具体例を示しており、図２（Ａ）が平面図、図２（Ｂ）が正面図である。
【００４６】
図２において、制御弁１８は上部のモータ部２７と下部の弁部２８で構成される。弁部２８の中には上部のモータ部２７により垂直軸回りに９０°回転する弁体２９が設けられ、弁体２９には弁体穴３０が貫通している。図２（Ｂ）の弁部２８は弁体穴３０が両側に開口した弁体２９の全開状態である。
【００４７】
モータ部２７には図２（Ａ）の平面図のように開度指示軸３１が上部に取り出されており、開度指示軸３１にはマーカ３２が設けられ、弁の開閉位置を示している。開度指示軸３１に対しては開度表示板３３が設けられ、９０°の角度をもって全開位置と全閉位置を表示している。
【００４８】
このためマーカ３２は、図２の状態にあっては開度表示板３３の「開」を示し、これは制御弁１８の全開位置である。なお開度指示軸３１は制御弁１８を手動操作するための操作軸としても使用される。
【００４９】
このため点検時に流水検知信号Ｅａによる閉制御による制御弁１８の全閉と、続いて障害信号Ｅｔにより行われる開制御による制御弁１８の全開を、開度指示軸３１のマーカ３２による指示から確認することができる。
【００５０】
図３は、図１のスプリンクラー制御盤５による制御弁１８の開閉制御の機能点検を含むスプリンクラー制御処理のフローチャートである。尚、このフローチャートにおける流水検知信号、火災信号、障害信号及び圧力検知信号の信号有は、各信号のオンを意味し、信号なしは各信号のオフを意味する。
【００５１】
図３において、スプリンクラー制御処理は、まずステップＳ１で点検モード設定スイッチ２６のオンをチェックしており、もし点検モード設定スイッチ２６がオンであれば、ステップＳ２の点検制御を行う。定常監視状態にあっては、点検モード設定スイッチ２６はオフであることから、ステップＳ２の点検制御をスキップし、ステップＳ３で流水検知装置１６からの流水検知信号Ｅａの有無（オン，オフ）がチェックされる。
【００５２】
通常状態では流水検知信号Ｅａはないことから、ステップＳ４で火災受信盤１からの火災信号Ｅｆの有無をチェックするが、火災信号はないことから、ステップＳ８で圧力スイッチ２０からの圧力検知信号Ｅｐがあることを判別し、ステップＳ５で制御弁１８の開状態を維持する。
【００５３】
住戸内で火災が発生した場合には、火災受信盤１からの火災信号Ｅｆの移報に基づき、ステップＳ４で火災信号ありを判別し、ステップＳ５で制御弁１８の開状態を維持する。
【００５４】
火災に対し消火が確認されると、スプリンクラー制御盤５に設けている緊急停止スイッチ（図示せず）が押されることから、ステップＳ６で緊急停止スイッチのオンを判別すると、ステップＳ７に進み、制御弁１８を開状態に制御し、スプリンクラーヘッド６からの放水を停止する。
【００５５】
ここでステップＳ８において圧力検知信号Ｅｐの有無を確認するのは、制御弁１８のハンチング動作を防止するためである。即ちスプリンクラーヘッド６が破損等により誤動作した場合において、火災信号Ｅｆが出力されていないことを理由として制御弁１８を閉じると、破損したスプリンクラーヘッド６からの放水を停止することができ、このとき流水検知装置１６からの流水検知信号Ｅａがオフとなる。
【００５６】
これは定常監視状態と同じであるため、復旧条件が整ったものと判断して制御弁１８を開制御すると、破損したスプリンクラーヘッド６から再び放水が開始される。したがって制御弁１８の開放と閉鎖の繰り返しにより、破損したスプリンクラーヘッド６から断続的に放水が行われることになる。
【００５７】
このような弊害を防止するため、ステップＳ８で圧力検知信号Ｅｐ有りが判別された場合は、定常監視状態もしくは放水後にスプリンクラーヘッドが交換され、復旧条件が整ったものと判断し、ステップＳ５で制御弁１８を開制御する。一方、ステップＳ８で圧力検知信号Ｅｐがなかった場合には、スプリンクラーヘッドの作動後の火災信号Ｅｆを待機している状態もしくはスプリンクラーヘッドが破損している状態と判断し、ステップＳ７に進んで制御弁１８を閉制御する。
【００５８】
次に火災検出が行われる前にスプリンクラーヘッド６が作動した場合の制御を説明する。火災の発生により火災受信盤１から火災信号Ｅｆが移報される前にスプリンクラーヘッド６が作動し、流水検知装置１６から流水検知信号Ｅａありがステップ３で判別されると、ステップＳ９に進み、火災信号Ｅｆを判別するが、火災信号ＥｆがないことからステップＳ１０に進み、障害信号Ｅｔを判別する。
【００５９】
ここで障害信号Ｅｔもない場合は、ステップＳ１１に進み、疑似障害発生スイッチ２５をパルス的に開閉するスイッチ駆動を行う。この疑似障害発生スイッチ２５のパルス的開閉による疑似的な断線に対し、火災受信盤で正常にパルス的な障害信号の受信出力が行われれば、火災受信盤１の機能は正常と判断し、ステップＳ７に進んで制御弁１８を閉制御する。
【００６０】
この制御弁１８の閉制御により流水検知信号Ｅａがなくなり、ステップＳ３，Ｓ４，Ｓ８，Ｓ７の処理を繰り返す。この状態で火災受信盤１から火災信号Ｅｆの移報があると、ステップＳ４で火災信号ありが判別され、ステップＳ５で制御弁１８を開き、作動したスプリンクラーヘッドから消火用水の放水を開始させる。
【００６１】
これに対し疑似障害発生スイッチ２５のパルス的開閉で火災受信盤１よりパルス的な障害信号の受信出力が得られなかった場合には、ステップＳ１２からステップＳ５に進み、制御弁１８の開状態を維持して、作動したスプリンクラーヘッドからの消火用水の放水を継続させる。
【００６２】
更に、火災によりスプリンクラーヘッド６が作動した際に火災受信盤１からの感知器回線３に断線があり、障害信号Ｅｔが移報されていた場合には、ステップＳ１０で障害信号ありが判別され、この場合には実際に火災が発生している可能性があると判断できるため、ステップＳ５に移行し、制御弁１８の開状態を維持して放水を継続する。このため感知器回線３が断線している状態で火災によりスプリンクラーヘッド６が作動しても、不用意に放水が停止されることはない。
【００６３】
図４は制御弁１８の開閉制御の機能点検を行う本発明の第１実施形態における点検制御の説明図であり、図４（Ａ）が第１実施形態における図３のフローチャートにおけるステップＳ２の点検制御の詳細であり、また図４（Ｂ）が図１のスプリンクラー制御盤５で行う一連の点検手順の説明図である。
【００６４】
図４（Ｂ）の手順に従って本発明の第１実施形態による制御弁１８の点検制御を説明すると次のようになる。まずステップＳ１で住戸外の計器収納ボックス等に設けられているスプリンクラー制御盤５の近傍に設置している末端試験弁３８を手動で開放する。
【００６５】
この末端試験弁３８の開放により分岐管７にスプリンクラーヘッド６が１個作動したに相当する消火用水が流れ、ステップＳ２で流水検知装置１６が作動してオンとなった流水検知信号Ｅａが出力される。このためステップＳ３でスプリンクラー制御盤５の制御回路２１に設けている点検制御部２３は、制御弁１８を閉制御する。
【００６６】
続いてステップＳ４で制御弁１８からの全閉信号の受信によるスプリンクラー制御盤５における全閉表示、もしくは図２に示した制御弁１８の全閉表示による確認を行う。ステップＳ４で制御弁１８の全閉が確認できたならば、ステップＳ５でスプリンクラー制御盤５に設けている点検モード設定スイッチ２６を操作する。
【００６７】
点検モード設定スイッチ２６を操作すると、ステップＳ６で疑似障害発生スイッチ２５が作動して開動作し、感知器回線を疑似的に断線状態とする。この点検手順におけるステップＳ５，Ｓ６の動作は、具体的には図３のステップＳ１，Ｓ２及び図４（Ａ）のステップＳ１の処理によって実現される。
【００６８】
即ち点検モード設定スイッチ２６を操作すると、このスイッチオンが図３のステップＳ１で判別され、ステップＳ２の点検制御を行う。このステップＳ２の点検制御は、図４（Ａ）のステップＳ１に示すような疑似的な火災信号または障害信号の発生であり、具体的には機能点検部２２による疑似障害発生スイッチ２５の開動作で疑似的な感知器回線３の断線状態を作り出し、これによって火災受信盤１から障害信号Ｅｔをスプリンクラー制御盤５に移報させることになる。
【００６９】
したがって図４（Ｂ）の点検手順におけるステップＳ７で火災受信盤１から障害信号Ｅｔを受信すると、ステップＳ８で制御弁１８の開制御が行われる。続いてステップＳ９で制御弁１８の全開信号の受信によるスプリンクラー制御盤５での全開制御もしくは図２の制御弁１８の全開表示を確認し、制御弁１８の全開を確認したならば一連の制御弁１８の開閉制御の点検が終了したことから、ステップＳ１０で末端試験弁３８を閉じて一連の点検を終了する。
【００７０】
このように本発明のスプリンクラー消火設備の第１実施形態にあっては、制御弁１８の開閉制御の機能点検にあっては、住戸外に設けている末端試験弁３８を開くことで得られる流水検知信号Ｅａにより制御弁１８の閉制御を行い、全閉を確認したならば、スプリンクラー制御盤５に設けている点検モード設定スイッチ２６を操作することで疑似的な火災受信盤１からの障害信号の移報により制御弁１８の開制御が行われ、制御弁１８を開制御する火災受信盤１からの障害信号Ｅｔの移報出力を、住戸内に入って火災感知器や火災受信盤１を操作することなく住戸外で簡単に行うことができる。
【００７１】
図５は図１のスプリンクラー消火設備に設けているスプリンクラー制御盤５による制御弁１８の開閉制御の点検機能として、点検モード設定スイッチ２６を操作することで一連の点検制御を自動的に行うようにした本発明の第２実施形態の点検制御のフローチャートであり、図６に第２実施形態の点検手順を示す。
【００７２】
図５の第２実施形態の点検制御のフローチャートは、図３のスプリンクラー制御のフローチャートにおけるステップＳ２の点検制御の詳細である。即ち制御弁１８を点検するためスプリンクラー制御盤５に設けている点検モード設定スイッチ２６をオン操作すると、図３のステップＳ１でこれが判別されて、ステップＳ２の点検制御に進み、この点検制御の内容が図５のフローチャートとなる。
【００７３】
この第２実施形態にあっても、点検の開始は末端試験弁３８を手動または自動で開放することで開始する。末端試験弁３８を開放すると流水検知装置１６から流水検知信号Ｅａが出力されることから、ステップＳ１で流水検知信号Ｅａの受信をチェックしており、これを受信するとステップＳ２に進み、制御弁１８の閉制御を行う。
【００７４】
続いてステップＳ３で制御弁１８からの全閉信号の受信をチェックしており、全閉信号を受信すると、ステップＳ４で疑似火災または疑似障害状態の発生を行う。この第２実施形態にあっては疑似障害状態の発生を例に取っており、機能検出部２２によって疑似障害発生スイッチ２５を作動して開くことで、火災受信盤１より障害信号Ｅｔを移報させる。
【００７５】
続いてステップＳ５で火災または障害信号の受信をチェックし、この場合には障害信号が受信されることから、ステップＳ６で制御弁１８の開制御を行う。続いてステップＳ７で制御弁１８から全開信号が受信されると、ステップＳ８で制御弁１８の開閉制御による点検が正常に終了したものとする。
【００７６】
一方、ステップＳ３で全閉信号が受信されない場合、またステップＳ５で火災または障害信号が受信されない場合、更にステップＳ７で全開信号が受信されない場合には、ステップＳ９に進み、制御弁１８の開閉制御の機能に異常があることから異常終了とする。
【００７７】
ステップＳ８の正常終了及びステップＳ９の異常終了は、スプリンクラー制御盤５の点検結果の表示器を使用して表示する。
【００７８】
図６は、図５の点検制御のフローチャートに対応した第２実施形態における点検手順の説明図である。この第２実施形態の点検にあっては、まずステップＳ１で点検モード設定スイッチ２６をオンする。続いてステップＳ２で末端試験弁３８を手動または自動で開く。末端試験弁３８を自動で開く例えば電導弁とした場合には、点検モード設定スイッチ２６のオンによりスプリンクラー制御盤から末端試験弁３８の開制御が行われる。
【００７９】
続いてステップＳ３で流水検知装置１６が作動して流水検知信号Ｅａが出力され、これに基づきステップＳ４で制御弁１８の閉制御が行われる。続いてステップＳ５で制御弁１８の全閉信号受信で全閉を確認し、続いてステップＳ６で疑似障害発生スイッチ２５を作動して開くことで、疑似的な断線状態を作り出す。これによってステップＳ７で火災受信盤１から障害信号Ｅｔの受信による移報が行われ、ステップＳ８で制御弁１８の開制御を行う。
【００８０】
続いてステップＳ９で制御弁１８の全開信号受信による全開確認を行い、ステップＳ１０で最終的に手動または自動で末端試験弁３８を閉じて一連の点検を終了する。
【００８１】
図７は、スプリンクラー消火設備における制御弁１８の開閉制御の点検を行う本発明の第３実施形態の説明図であり、図１と同様なスプリンクラー消火設備を対象としており、図７にあってはスプリンクラー制御盤５と火災受信盤１を取り出して示している。
【００８２】
この第３実施形態にあっては、制御弁１８を開制御するための障害信号の発生をスプリンクラー制御盤５内で擬似的に行うようにしたことを特徴とする。即ち図４の第１実施形態及び図５，図６の第２実施形態にあっては、図１のスプリンクラー制御盤に設けた疑似障害発生スイッチ２５を利用して障害信号を実際の断線と同様、火災受信盤１側から発生させて、より実際に近い状態で点検を行っているが、図７の第３実施形態にあっては構成を簡単にするため、スプリンクラー制御盤５の火災障害受信回路３４の入力側に疑似的な障害信号の発生機能を設けている。
【００８３】
即ち、スプリンクラー制御盤５の制御回路２１は障害信号を疑似的に発生するためのリレー３５を備えており、このリレー３５のリレー接点３５ａを火災障害受信回路３４の入力側に接続している。制御回路２１は、図４の第１実施形態または図５，図６の第２実施形態による制御弁１８の点検制御を行う。
【００８４】
即ち第１実施形態にあっては、末端試験弁３８の開操作で流水検知装置１６から流水検知信号Ｅａが得られた時に制御弁１８を閉制御し、制御弁１８の全閉が確認された状態で点検モード設定スイッチ２６を操作すると、制御回路２１はリレー３５を作動してリレー接点３５ａを閉じ、これによって疑似的に障害信号が火災障害受信回路３４に入力し、制御回路２１は制御弁１８の開制御を行うことになる。
【００８５】
また制御回路２１として図５，図６の第２実施形態の自動点検制御を用いた場合には、流水検知信号Ｅａによって制御弁１８の閉制御が行われ、制御弁１８より全閉信号を受信した時に制御回路２１がリレー３５を作動してリレー接点３５ａを閉じ、障害信号を疑似的に火災障害受信回路３４に入力し、これに基づき制御回路２１は制御弁１８の開制御を行うことになる。なお、第３実施形態において、障害信号の代わりに擬似的な火災信号を発生させても良い。
【００８６】
図８は、図１のスプリンクラー消火設備に設けている制御弁１８の開閉制御の機能点検を行う本発明の第４実施形態であり、図１のスプリンクラー消火設備におけるスプリンクラー制御盤５と火災受信盤１を取り出している。
【００８７】
この第４実施形態にあっては、図７の第３実施形態のスプリンクラー制御盤５側に疑似的な障害信号の発生手段を設けたことに加え、流水検知信号についてもスプリンクラー制御盤５に疑似的な流水検知信号の発生手段を設けるようにしたことを特徴とする。
【００８８】
図８において、スプリンクラー制御盤５の火災障害受信回路３４の入力側には、制御回路２１によるリレー３５の作動でオンして障害信号を疑似入力するリレー接点３５ａが設けられ、これは図７の第３実施形態と同じである。これに加えて図８の第４実施形態にあっては、流水検知装置１６から制御回路２１に対する信号ラインにリレー３７のリレー接点３７ａを設けており、制御回路２１により点検開始時にリレー３７を作動することでリレー接点３７ａを閉じ、疑似的な流水検知信号を発生し、制御弁１８の閉制御を行う。
【００８９】
この閉制御により制御回路２１が制御弁１８の全閉信号を受信すると、リレー３５を作動してリレー接点３５ａを閉じることで疑似的な障害信号を火災障害受信回路３４に入力し、制御回路２１は制御弁１８の開制御を行い、全開信号の受信で一連の点検を終了する。
【００９０】
図９は、図８の第４実施形態における点検制御のフローチャートであり、図３のスプリンクラー制御におけるステップＳ１で点検モード設定スイッチ２６をオンした際のステップＳ２の点検制御の詳細となる。
【００９１】
図９の第４実施形態の点検制御にあっては、ステップＳ１でリレー３７の作動によるリレー接点３７ａのオンで疑似的アラームスイッチとして作動し、これによりステップＳ２で制御弁１８の閉制御を行う。ステップＳ３で制御弁１８の全閉信号を受信すると、ステップＳ４でリレー３５の作動によるリレー接点３５ａのオンにより疑似火災障害スイッチとして作動し、これによってステップＳ５で制御弁の開制御を行う。
【００９２】
ステップＳ６で制御弁１８の全開信号を受信すると、ステップＳ７でリレー３７，３５の復旧により疑似アラームスイッチ及び疑似火災障害スイッチを復旧し、ステップＳ８で一連の点検の正常終了とする。またステップＳ３で制御弁１８の全閉信号が受信されない場合、ステップＳ６で制御弁１８の全開信号が受信されない場合には、ステップＳ９で制御弁１８に異常があるものと判断して異常終了とする。このステップＳ８の正常終了及びステップＳ９の異常終了の結果は、図８のスプリンクラー制御盤５に設けている結果表示部３６に表示される。
【００９３】
この図８，図９の第４実施形態にあっては、制御弁１８の点検の際に末端試験弁３８を操作する必要がなく、点検モード設定スイッチ２６の操作のみで一連の制御弁１８の点検制御が簡単にできる。なお、この第４実施形態にあっても障害信号でなく、擬似的な火災信号を発生させるようにしても良い。
【００９４】
図１０は本発明の第５実施形態であり、この第５実施形態にあっては住棟受信盤１５から任意の住戸のスプリンクラー制御盤５を指定して遠隔的に制御弁１８の点検制御ができるようにしたことを特徴とする。
【００９５】
図１０において、各住戸に設けられたスプリンクラー制御盤５、火災受信盤１側は、図１の実施形態と同じであるが、この第５実施形態にあっては住棟受信盤１５に点検制御部２３ａと点検モード設定スイッチ２６ａを設けている。また住戸側のスプリンクラー消火設備は住棟受信盤１５からの指示による遠隔的な点検制御を可能とするため、末端試験弁３８ａを電動弁としている。
【００９６】
住棟受信盤１５に設けた点検制御部２３ａは、試験を行う住戸のアドレスを設定した状態で点検モード設定スイッチ２６ａを操作すると、設定したアドレスに点検コマンドを加えた点検制御信号をスプリンクラー制御盤５に送り、電動弁を用いた末端試験弁３８ａを開く。
【００９７】
末端試験弁３８ａが開くと流水検知装置１６からの流水検知信号Ｅａを受信した際に制御弁１８を閉制御し、全閉信号の受信で疑似障害発生スイッチ２５を開いて火災受信盤１から障害信号Ｅｔを移報させることで制御弁１８を開制御し、全開信号が得られることで点検政情終了を認識して、結果を住棟受信盤１５に応答する。もちろん、点検の途中で例えば制御弁１８から全閉信号が受信されなかったような場合には点検異常を住棟受信盤１５に通知する。
【００９８】
図１０の住棟受信盤１５からの遠隔的な点検制御としては、障害信号Ｅｔ及び流水検知信号Ｅａの一方または両方についてもスプリンクラー制御盤５で疑似的に発生するようにしても良い。このためにはスプリンクラー制御盤５として図７に示した第３実施形態のスプリンクラー制御盤５または図８に示した第４実施形態のスプリンクラー制御盤５の構成を取れば良い。
【００９９】
尚、上記の実施形態にあっては、点検モード設定スイッチ２６をスプリンクラー制御盤５に設けているが、これに限定されず、住戸外であれば良く、例えば住戸外の中継器、火災報知設備の戸外点検器あるいは流水検知装置等に設けてスイッチ信号をスプリンクラー制御盤５に入力すれば良い。もちろん、外部からの点検モード設定スイッチ２６からの信号はパラレル信号であってもシリアル信号であってもどちらでも良い。
【０１００】
また上記の実施形態にあっては１住戸ごとにスプリンクラー制御盤５を設ける場合を例に取っているが、複数住戸で共通化したスプリンクラー制御盤であっても良いことはもちろんである。火災信号や障害信号は住棟受信盤から受信しても良い。
【０１０１】
更に上記の実施形態にあっては、定常監視状態で制御弁１８が常時開いた状態となるスプリンクラー消火設備を例に取るものであったが、定常監視状態で制御弁を閉じており、火災信号が来た時に制御弁を開く予作動式のスプリンクラー消火設備であっても、本発明を適用することができる。
【０１０２】
この予作動式のスプリンクラー消火設備については、点検モード設定スイッチを操作した時に疑似的な火災信号または障害信号を作り出して制御弁を開制御し、全開後に火災信号または障害信号を終了（復旧）して制御弁を閉制御させる点検制御を行えば良い。
【０１０３】
尚、本発明の実施形態においては、集合住宅のスプリンクラー消火設備を記載したものであるが、特に集合住宅に限定されず、一般ビル用のスプリンクラー消火設備にも本願のシステムを適用できる。一般のビルに適用した場合でも各部屋内の火災感知器を作動させるために部屋内に入る必要がないため、会議や仕事の邪魔をせず、点検を行うことができる。
【０１０４】
また、上記の実施形態としては制御弁を電動弁１８としたが、電動弁に限らず、電磁弁などの遠隔から開閉制御できる弁構造のものであれば良い。
【０１０５】
【発明の効果】
以上説明してきたように本発明によれば、防護区画外のスプリンクラー制御盤に設けている点検モード設定スイッチを操作することで、疑似的な火災信号または障害信号を作り出して制御弁を閉制御することができ、制御弁を閉制御するために必要な火災信号または障害信号が防護区画内に入って火災感知器や火災受信盤を操作することなく簡単に得られ、このため制御弁の開閉制御の機能点検を防護区画外から簡単に行うことができ、防護区画内に入らないことから内部の人の邪魔をすることなく、特に集合住宅においては、プライバシーの問題がなく、また住民が留守であっても容易に制御弁の機能を点検し、結果として防護区画ごとに設けているスプリンクラー消火設備の信頼性を保証することができる。
【図面の簡単な説明】
【図１】本発明の設備構成の説明図
【図２】図１の制御弁の説明図
【図３】図１のスプリンクラー制御盤の制御処理のフローチャート
【図４】本発明の第１実施形態となる図３の点検制御の詳細フローチャートとその点検手順の説明図
【図５】本発明の第２実施形態となる図３の点検制御の詳細を示したフローチャート
【図６】図５の点検制御に従った第２実施形態の点検手順の説明図
【図７】スプリンクラー制御盤で火災障害信号を擬似的に受信する第３実施形態の説明図
【図８】スプリンクラー制御盤で流水検知信号及び火災障害信号を擬似的に受信する第４実施形態の説明図
【図９】図８の第４実施形態における図３の点検制御の詳細を示したフローチャート
【図１０】住棟受信盤に点検機能を設けた本発明の第５実施形態の説明図
【符号の説明】
１：火災受信盤（住戸受信機）
２：中継器
３：感知器回線
４：火災感知器
５：スプリンクラー制御盤
６：閉鎖型スプリンクラーヘッド
７：分岐管
８：給水本管
９：消火ポンプ
１０：貯水槽
１１：圧力タンク
１２：圧力スイッチ
１３：ポンプ制御盤
１４：モータ
１５：住棟受信盤
１６：流水検知装置
１７：アラーム弁
１８：制御弁
１９：高架水槽
２０：圧力スイッチ
２１：制御回路
２２：機能検出部
２３、２３ａ：点検制御部
２４：終端抵抗
２５：疑似障害発生スイッチ
２６：点検モードスイッチ
２７：モータ部
２８：弁部
２９：弁体
３０：弁体穴
３１：開度指示軸
３２：マーカ
３３：開度表示板
３４：火災障害受信回路
３５：リレー
３５ａ：リレー接点（擬似受信スイッチ）
３６：結果表示部
３７：リレー
３７ａ：リレー接点（擬似流水検知スイッチ）
３８：末端試験弁
３９：オリフィス
４０：圧力計
【図１】
0004481412.tif 000002
【図２】
0004481412.tif 000003
【図３】
0004481412.tif 000004
【図４】
0004481412.tif 000005
【図５】
0004481412.tif 000006
【図６】
0004481412.tif 000007
【図７】
0004481412.tif 000008
【図８】
0004481412.tif 000009
【図９】
0004481412.tif 000010
【図１０】
0004481412.tif 000011